(57)【要約】【課題】運転者に違和感を与えることの抑制と確実なロックとの両立を実現したバルブタイミング制御システムを提供する。【解決手段】ＩＧオフ操作を検出した場合に、バルブタイミング調整装置１８のロータをロック位置に向けて相対回転させるよう、ＯＣＶ２９の作動を制御するロック制御手段と、ＩＧオフ操作後においてエンジンへの燃料噴射を停止するタイミングを遅延させる遅延制御手段と、クランク軸１２の回転速度であるエンジン回転速度を示すタコメータ６０の表示内容を制御するメータＥＣＵ６５（表示内容制御手段）と、を備え、メータＥＣＵ６５は、ＩＧオフ操作に伴いエンジン回転速度が低下していく推移を表示させるにあたり、遅延制御手段による遅延制御を実行する場合には、エンジン回転速度が実際に低下を開始するタイミングよりも早く低下開始するよう表示させる。【選択図】      図１
2009270478.tif 000002
【特許請求の範囲】
【請求項１】
エンジンの出力軸とともに回転するエンジン側回転体と、吸気バルブ又は排気バルブを開閉駆動させるカム軸とともに回転するカム側回転体と、前記出力軸の回転力を駆動源として前記両回転体の一方を他方に対して相対回転させるよう作動油を供給する油圧ポンプと、前記作動油の供給状態を制御することで前記一方の回転体の相対回転位置を制御する進遅角位置制御装置と、所定の相対回転位置で前記一方の回転体を相対回転不能にロックするロック機構と、を有し、前記吸気バルブ又は前記排気バルブの開閉タイミングを調整するバルブタイミング調整装置に適用され、
前記エンジンの停止を指令するためのオフ操作を検出した場合に、前記一方の回転体を前記ロックの位置に向けて相対回転させるよう、前記進遅角位置制御装置の作動を制御するロック制御手段と、
前記オフ操作後において前記エンジンへの燃料噴射を停止するタイミングを遅延させる遅延制御手段と、
前記出力軸の回転速度であるエンジン回転速度を示すタコメータの表示内容を制御する表示内容制御手段と、
を備え、
前記表示内容制御手段は、前記オフ操作に伴い前記エンジン回転速度が低下していく推移を表示させるにあたり、前記遅延制御手段による遅延制御を実行する場合には、前記エンジン回転速度が実際に低下を開始するタイミングよりも早く低下開始するよう表示させることを特徴とするバルブタイミング制御システム。
【請求項２】
前記表示内容制御手段は、前記オフ操作に伴い前記エンジン回転速度が低下していく推移を表示させるにあたり、前記遅延制御手段による遅延制御を実行する場合には、前記エンジン回転速度が実際にゼロになるタイミングよりも早くゼロになるよう表示させることを特徴とする請求項１に記載のバルブタイミング制御システム。
【請求項３】
前記エンジン回転速度がゼロになる時に前記出力軸が逆回転することを抑制する逆転抑制装置が備えられたエンジンに適用したことを特徴とする請求項１又は２に記載のバルブタイミング制御システム。
【請求項４】
前記逆転抑制装置は、前記出力軸の正回転を許容して逆回転を不能にするワンウェイクラッチ機構を備えて構成されていることを特徴とする請求項３に記載のバルブタイミング制御システム。
【請求項５】
吸入空気量を調整するスロットルバルブ、前記スロットルバルブを駆動させる電動モータ、及び前記電動モータの駆動を制御する吸気量制御手段を有する電動スロットルシステムを備えたエンジンに適用され、
前記遅延制御の実行時には非実行時に比べて吸入空気量を少なくするよう前記スロットルバルブの開度を制御することで、前記電動スロットルシステムは前記逆転抑制装置として機能していることを特徴とする請求項３又は４に記載のバルブタイミング制御システム。
【請求項６】
前記表示内容制御手段は、前記遅延制御手段による遅延制御を実行する場合には、前記オフ操作をした時の前記エンジンの運転状態に拘わらず、予め設定されたプロフィールで低下推移を表示させることを特徴とする請求項１〜５のいずれか１つに記載のバルブタイミング制御システム。
【請求項７】
前記遅延制御を実行する場合に表示される前記低下推移は、前記エンジン回転速度の実際の低下推移と同じプロフィールとなるように設定されていることを特徴とする請求項６に記載のバルブタイミング制御システム。
【発明の詳細な説明】
【技術分野】
【０００１】
本発明は、エンジンの吸気バルブ又は排気バルブの開閉タイミングを調整するバルブタイミング調整装置に適用された、バルブタイミング制御システムに関する。
【背景技術】
【０００２】
吸気バルブ又は排気バルブの開閉タイミングを調整する従来のバルブタイミング調整装置は、エンジンのクランク軸（出力軸）とともに回転するエンジン側回転体と、カム軸とともに回転するカム側回転体とを備え、カム側回転体をエンジン側回転体に対して相対回転させるよう油圧ポンプから作動油を供給する構成である。そして、作動油の供給先を切替制御する等により、カム側回転体の相対回転位置を制御している。
【０００３】
上記油圧ポンプはクランク軸の回転力を駆動源としているため、エンジン始動時には十分な作動油を供給できず最適な相対回転位置に制御できない。そこで従来の装置では、エンジン始動時に最適とされる位置でカム側回転体を相対回転不能にロックするロック機構を設けており、エンジンの停止を指令するためのイグニッションスイッチオフ操作（ＩＧオフ操作）を検出した場合に、カム側回転体をロック位置に向けて相対回転させるよう作動油供給状態を制御するロック制御を実行している。
【０００４】
ここで、作動油が低温で高粘性になっていると、前記ロック制御を行ったとしても、油圧ポンプが停止するまでの間にカム側回転体がロック位置まで到達できない場合がある。この問題に対し特許文献１記載の装置では、ＩＧオフ操作後においてエンジンへの燃料噴射を停止させるタイミングを遅延させる遅延制御を行うことで、ＩＧオフ操作後における油圧の低下を遅延させて、ロック位置まで到達させることを図っている。
【特許文献１】特開２００６−２６６２００号公報
【発明の開示】
【発明が解決しようとする課題】
【０００５】
しかしながら、エンジン停止タイミングを遅延させるほど、ロックの確実性が高まる反面、ＩＧオフ操作してから直ぐにエンジン回転速度が低下開始をしないことについて、運転者に違和感を与えてしまう。
【０００６】
本発明は、上記課題を解決するためになされたものであり、その目的は、運転者に違和感を与えることの抑制と確実なロックとの両立を実現したバルブタイミング制御システムを提供することにある。
【課題を解決するための手段】
【０００７】
以下、上記課題を解決するための手段、及びその作用効果について記載する。
【０００８】
（請求項１）
請求項１記載の発明では、
エンジンの出力軸とともに回転するエンジン側回転体と、吸気バルブ又は排気バルブを開閉駆動させるカム軸とともに回転するカム側回転体と、前記出力軸の回転力を駆動源として前記両回転体の一方を他方に対して相対回転させるよう作動油を供給する油圧ポンプと、前記作動油の供給状態を制御することで前記一方の回転体の相対回転位置を制御する進遅角位置制御装置と、所定の相対回転位置で前記一方の回転体を相対回転不能にロックするロック機構と、を有し、前記吸気バルブ又は前記排気バルブの開閉タイミングを調整するバルブタイミング調整装置に適用され、
前記エンジンの停止を指令するためのオフ操作を検出した場合に、前記一方の回転体を前記ロックの位置に向けて相対回転させるよう、前記進遅角位置制御装置の作動を制御するロック制御手段と、前記オフ操作後において前記エンジンへの燃料噴射を停止するタイミングを遅延させる遅延制御手段と、前記出力軸の回転速度であるエンジン回転速度を示すタコメータの表示内容を制御する表示内容制御手段と、を備え、前記表示内容制御手段は、前記オフ操作に伴い前記エンジン回転速度が低下していく推移を表示させるにあたり、前記遅延制御手段による遅延制御を実行する場合には、前記エンジン回転速度が実際に低下を開始するタイミングよりも早く低下開始するよう表示させることを特徴とする。
【０００９】
ここで、一般的なエンジン運転者は、自身が行ったオフ操作にしたがってエンジン停止制御（例えば燃料噴射を停止する制御等）が為されていることを、タコメータを見ることで把握する傾向にある。つまり、オフ操作後に、タコメータに表示されるエンジン回転速度の低下開始を視認したことで、オフ操作に伴いエンジン停止制御が為されたことを把握している。特に、エンジンが４輪車両に搭載されたものである場合には、車室内に居る運転者にはオフ操作後のエンジン振動は殆ど感じられない。そのため、タコメータを見ることでエンジン停止制御の開始を把握する傾向がさらに強くなる。
【００１０】
この点に着目してなされた上記請求項１記載の発明によれば、オフ操作に伴いエンジン回転速度が低下していく推移をタコメータで表示させるにあたり、遅延制御を実行する場合には、エンジン回転速度が実際に低下を開始するタイミングよりも早く低下開始するよう表示させる。よって、遅延制御の実行によりエンジン回転速度が低下開始するタイミングは実際には遅延されているが、タコメータの低下開始表示を視認した運転者には、実際の低下開始タイミングよりも早く低下開始したと把握されることとなる。したがって、遅延制御の実行によりロックの確実性を高めることができるとともに、オフ操作してから直ぐにエンジン回転速度が低下し始めないことについて与える運転者への違和感を抑制できる。
【００１１】
（請求項２）
請求項２記載の発明では、前記表示内容制御手段は、前記オフ操作に伴い前記エンジン回転速度が低下していく推移を表示させるにあたり、前記遅延制御手段による遅延制御を実行する場合には、前記エンジン回転速度が実際にゼロになるタイミングよりも早くゼロになるよう表示させることを特徴とする。
【００１２】
これによれば、タコメータに表示させる回転速度の低下推移プロフィール（例えば、図１１（ｄ）中の実線(1)に示すプロフィール）が、実際に回転速度が低下していく時のプロフィール（例えば、図１１（ｄ）中の一点鎖線に示すプロフィール）に近づくこととなる。よって、タコメータを見る運転者に対して、実際の回転速度の低下推移プロフィールと異なるプロフィールで表示させることにより与えてしまう違和感を抑制できる。
【００１３】
（請求項３〜５）
オフ操作後にエンジン回転速度が低下していく時のエンジン振動は運転者には殆ど感じられないことは先述した通りであるが、出力軸が停止する時に逆回転が生じる（発生原因は後述）と、その逆回転による振動は回転速度低下時の振動に比べて大きいので、運転者に感じられることが懸念される。
【００１４】
この点に着目してなされた上記請求項３記載の発明では、エンジン回転速度がゼロになる時に出力軸が逆回転することを抑制する逆転抑制装置が備えられたエンジンに請求項１記載の発明を適用させるので、上記懸念を好適に解消できる。
【００１５】
前記逆転抑制装置の具体的構成例として、請求項４及び請求項５記載の発明が挙げられる。すなわち、請求項４記載の発明では、前記逆転抑制装置は、前記出力軸の正回転を許容して逆回転を不能にするワンウェイクラッチ機構を備えて構成されていることを特徴とするので、出力軸の逆回転がワンウェイクラッチ機構により防止される。
【００１６】
また、請求項５記載の発明では、吸入空気量を調整するスロットルバルブ、前記スロットルバルブを駆動させる電動モータ、及び前記電動モータの駆動を制御する吸気量制御手段を有する電動スロットルシステムを備えたエンジンに適用され、前記遅延制御の実行時には非実行時に比べて吸入空気量を少なくするよう前記スロットルバルブの開度を制御することで、前記電動スロットルシステムは前記逆転抑制装置として機能していることを特徴とする。
【００１７】
ここで、上記逆回転が生じる原因を簡単に説明すると、エンジンピストンの圧縮過程の途中で出力軸が停止すると、その圧縮過程で圧縮された空気がピストンを押し戻すよう作用する。この作用によりピストンが押し戻されることで、出力軸が逆回転することとなる。これに対し上記請求項５記載の発明では、遅延制御の実行時には吸入空気量を少なくするようスロットルバルブの開度を制御するので、停止直前にシリンダ内へ吸入される空気の量が少なくなる。そのため、圧縮過程の途中で出力軸が回転停止したとしても、その圧縮過程で圧縮される空気の量は少なくなっているので、圧縮空気によりピストンを押し戻す力は小さくなる。よって、出力軸の逆回転が抑制される。
【００１８】
（請求項６，７）
ところで、オフ操作に伴いエンジン回転速度が低下していく時の実際の低下推移のプロフィールは、オフ操作をした時のエンジン運転状態によって異なる。例えば、エンジン回転速度がアイドル運転時の回転速度よりも高い状態でオフ操作すると、オフ操作後に回転速度がゼロになるまでに要する時間は長くなる。しかしながら、このような違いは僅かであり、しかも、運転者にはオフ操作後のエンジン振動は殆ど感じられない。
【００１９】
そこで請求項６記載の発明では、前記表示内容制御手段は、前記遅延制御手段による遅延制御を実行する場合には、前記オフ操作をした時の前記エンジンの運転状態に拘わらず、予め設定されたエンジン回転速度の低下推移のプロフィールを表示させることを特徴とする。これにより、表示内容制御手段の表示制御にかかる処理負荷を軽減できる。
【００２０】
さらに請求項７記載の発明では、前記遅延制御を実行する場合に表示される前記低下推移は、前記エンジン回転速度の実際の低下推移と同じプロフィールとなるように設定されていることを特徴とする。そのため、タコメータ表示による回転速度の低下開始タイミングは実際の低下開始タイミングより早くなっているものの、その後にタコメータで表示される回転速度の低下推移（図１１（ｄ）中の実線(1)参照）は実際の低下推移プロフィール（図１１（ｄ）中の一点鎖線参照）と同じとなる。よって、タコメータを見る運転者に対して、実際の回転速度の低下推移と異なる低下推移で表示させることにより与えてしまう違和感を抑制できる。
【発明を実施するための最良の形態】
【００２１】
以下、本発明のバルブタイミング制御システムの一実施形態について、図面を参照しつつ説明する。
【００２２】
図１に示すように、車両に搭載されて走行駆動源となる内燃機関にはガソリンエンジン１１が適用され、該エンジン１１のクランク軸１２（出力軸）からの動力がタイミングチェーン１３により各スプロケット１４，１５を介して吸気側カム軸１６と排気側カム軸１７とに伝達されるようになっている。但し、吸気側カム軸１６には、クランク軸１２に対する吸気側カム軸１６の進角量を調整するバルブタイミング調整装置１８が設けられている。また、吸気側カム軸１６の外周側には、カム角を検出するカム角センサ１９が設置され、一方、クランク軸１２の外周側には、クランク角を検出するクランク角センサ２０が設置されている。
【００２３】
これらクランク角センサ２０及びカム角センサ１９の出力信号は、エンジン制御手段としてのエンジンＥＣＵ２１に入力される。そして、エンジンＥＣＵ２１によって図示しない吸気バルブの実バルブタイミングが演算されると共に、クランク角センサ２０の出力パルスの周波数から、クランク軸１２の回転速度（エンジン回転速度）が演算される。また、エンジン運転状態を検出する各種センサ（吸気圧センサ２２、水温センサ２３、スロットルセンサ２４等）の出力信号や、イグニッションスイッチ２５の出力信号がエンジンＥＣＵ２１に入力される。なお、イグニッションスイッチ２５が車両ドライバによりオフ操作されると、エンジン１１を停止させる停止指令信号がエンジンＥＣＵ２１に入力される。
【００２４】
このエンジンＥＣＵ２１は、これら各種の入力信号に基づいて燃料噴射制御や点火制御を行うと共に、後述する可変バルブタイミング制御を行い、吸気バルブの実バルブタイミング（吸気側カム軸１６の実進角量）を目標バルブタイミング（目標進角量）に一致させるようにバルブタイミング調整装置１８のバルブタイミングをフィードバック制御する。
【００２５】
このバルブタイミング調整装置１８の油圧回路には、オイルパン２７内のオイルが油圧ポンプ２８により作動油として供給される。油圧ポンプ２８はエンジン１１を駆動源としており、クランク軸１２からの動力がタイミングチェーンにより伝達されるようになっている。
【００２６】
そして、油圧ポンプ２８による作動油の供給先をＯＣＶ２９（ＯＣＶ：オイルコントロールバルブ）により切り換えることで、バルブタイミングを進角側及び遅角側のいずれに変化させるかを制御する。また、ＯＣＶ２９により作動油の供給量を制御することで、吸気側カム軸１６の実進角量（実バルブタイミング）が制御される。
【００２７】
また、エンジンＥＣＵ２１の電源端子には、メインリレー７１のスイッチ７２（メインスイッチ）を介してバッテリ７３のプラス端子側が接続されている。エンジンＥＣＵ２１は、イグニッションスイッチ２５からオン信号が入力されると、メインリレー７１のリレー駆動コイル７４に通電してメインスイッチ７２をオンし、バッテリ７３から電源の供給を受ける。メインリレー７１を通して供給される電源は、エンジンＥＣＵ２１の他に、ＯＣＶ２９等、制御系全体に供給される。つまりメインリレー７１は、イグニッションスイッチ２５のオフ後も、引き続き所定時間オン状態に保持され、その期間に、後述する中間ロック制御を実行できるようになっている。
【００２８】
次に、図２〜図４に基づいてバルブタイミング調整装置１８の構成を説明する。
【００２９】
バルブタイミング調整装置１８のハウジング３１（エンジン側回転体（他方の回転体））は、吸気側カム軸１６の外周に回動自在に支持されたスプロケット１４にボルト３２で締め付け固定されている。これにより、クランク軸１２の回転がタイミングチェーン１３を介してスプロケット１４とハウジング３１に伝達され、スプロケット１４とハウジング３１がクランク軸１２と同期して回転するようになっている。
【００３０】
一方、吸気側カム軸１６は、シリンダヘッド３３とベアリングキャップ３４により回転可能に支持され、この吸気側カム軸１６の一端部に、ロータ３５（カム側回転体（一方の回転体））がストッパ３６を介してボルト３７で締め付け固定されている。このロータ３５は、ハウジング３１内に相対回転自在に収納されている。
【００３１】
図３及び図４に示すように、ハウジング３１の内部には、複数の油圧室４０が形成され、各油圧室４０が、ロータ３５の外周部に形成されたベーン４１によって進角室４２と遅角室４３とに区画されている。そして、ロータ３５の外周部とベーン４１の外周部には、それぞれシール部材４４が装着され、各シール部材４４が板ばね４５（図２参照）によって外周方向に付勢されている。これにより、ロータ３５の外周面とハウジング３１の内周面との隙間及びベーン４１の外周面と油圧室４０の内周面との隙間がシール部材４４でシールされている。
【００３２】
図２に示すように、吸気側カム軸１６の外周部に形成された環状の進角溝４６と遅角溝４７が、それぞれＯＣＶ２９の所定ポートに接続され、エンジン１１の動力で油圧ポンプ２８が駆動されることにより、オイルパン２７から汲み上げたオイル（作動油）がＯＣＶ２９を介して進角溝４６や遅角溝４７に供給される。進角溝４６に接続された進角油路４８は、吸気側カム軸１６の内部を貫通してロータ３５に形成された円弧状進角油路４９（図３参照）に連通するように形成され、この円弧状進角油路４９が各進角室４２に連通している。一方、遅角溝４７に接続された遅角油路５０は、吸気側カム軸１６の内部を貫通してロータ３５に形成された円弧状遅角油路５１（図４参照）に連通するように形成され、この円弧状遅角油路５１が各遅角室４３に連通している。
【００３３】
ＯＣＶ２９は、ソレノイド２９ａとスプリング２９ｂで弁体を駆動する４ポート３位置切換弁であり、弁体の位置を、進角室４２に作動油を供給する進角供給位置と、遅角室４３に作動油を供給する遅角供給位置と、進角室４２と遅角室４３のいずれにも作動油を供給しない保持位置との間で切り換えるようになっている。ソレノイド２９ａの通電停止時には、スプリング２９ｂによって弁体が進角室４２に作動油を供給する位置に自動的に切り換えられ、カム軸位相を進角させる方向に油圧が働くようになっている。なお、図１及び図２に示すＯＣＶ２９は、ソレノイド２９ａの通電時における作動状態を示している。
【００３４】
進角室４２と遅角室４３に所定圧以上の油圧が供給された状態では、進角室４２と遅角室４３の油圧でベーン４１が固定されて、クランク軸１２の回転によるハウジング３１の回転が作動油を介してベーン４１に伝達される。これにより、クランク軸１２と吸気側カム軸１６とは一体的に回転する。
【００３５】
エンジン運転中は、進角室４２と遅角室４３の油圧をＯＣＶ２９で制御してロータ３５をハウジング３１に対して相対回転させることで、クランク軸１２に対する吸気側カム軸１６の回転位相（カム軸位相）を制御して吸気バルブのバルブタイミングを可変する。具体的には、ＯＣＶ２９を前述の進角供給位置又は遅角供給位置に作動させてロータ３５を相対回転させ、目標相対回転位置に到達したら、ＯＣＶ２９を保持位置に作動させてロータ３５の相対回転位置を保持させる。
【００３６】
ここで、吸気側カム軸１６が吸気バルブを駆動する場合に、吸気バルブを閉弁方向に付勢するバルブスプリングから吸気側カム軸１６は正・負に変動する変動トルクを受ける。正方向の変動トルクは、ロータ３５を遅角側に相対回転させる方向のトルクを表し、負方向の変動トルクは、ロータ３５を進角側に相対回転させる方向のトルクを表している。そして、変動トルクの平均は正方向、つまり遅角方向に働いている。そこで、ロータ３５を進角側に相対回転させる場合に、遅角側に相対回転させる場合に比べて相対回転の応答性が悪化することを回避するために、進角方向に相対回転させる油圧力をばね力で補助するばね部材としてのコイルばね５５（図２参照）を備えている。
【００３７】
また、図３及び図４に示すように、いずれか１つのベーン４１に形成されたロックピン収容孔５７には、ハウジング３１に対してロータ３５を相対回転不能にロックするためのロックピン５８（ロック機構）が出没可能に収容され、このロックピン５８がハウジング３１に設けられた図２に示すロック穴５９（ロック機構）に嵌り込むことで、カム軸位相がその調整可能範囲の中間位置（ロック位置）でロックされる。ちなみに、最遅角位置及び最進角位置の中間位置に設定されたロック位置でエンジン始動させることにより、エンジン始動性を向上できる。また、例えばアクセル操作量一定で平坦な道を走行する場合等、負荷変動の少ない定常走行時においては、前記中間位置より遅角側の位相とすることで、燃焼室での膨張比を大きくして熱効率を向上させるアトキンソンサイクル化を図っている。
【００３８】
図５及び図６に示すように、ロックピン５８は、ロックピン収容孔５７の内周に嵌合された円筒部材６１内に摺動可能に挿入され、スプリング６２によってロック方向（突出方向）に付勢されている。また、ロックピン５８の中央外周部に形成された弁部６３によって、円筒部材６１とロックピン５８との隙間が、ロック油圧室６４とロック解除保持用の解除保持油圧室６５とに区画されている。そして、ロック油圧室６４と解除保持油圧室６５に進角室４２から作動油を供給するために、ベーン４１には、進角室４２に連通するロック油路６６とロック解除保持用の油路６７が形成されている。また、ハウジング３１には、ロック穴５９と遅角室４３とを連通するロック解除油路６８が形成されている。
【００３９】
図５に示すように、ロックピン５８のロック時には、ロックピン５８の弁部６３がロック解除保持用の油路６７を塞いで、ロック油路６６をロック油圧室６４に連通させた状態となる。これにより、進角室４２からロック油圧室６４に油圧が供給され、この油圧とスプリング６２によってロックピン５８がロック穴５９に嵌まり込んだ状態に保持され、カム軸位相が中間位置でロックされる。
【００４０】
エンジン停止中は、ロック油圧室６４の油圧（進角室４２の油圧）が低下するが、スプリング６２によってロックピン５８がロック位置に保持される。したがって、エンジン始動は、ロックピン５８がロック位置に保持された状態（中間位置）で行われ、エンジン始動後に、ロック穴５９の油圧（遅角室４３の油圧）が高くなると、その油圧によって次のようにしてロックピン５８のロックが解除される。エンジン始動後に、遅角室４３からロック解除油路６８を通してロック穴５９に供給される油圧（ロック解除方向の力）が、ロック油圧室６４の油圧（進角室４２の油圧）とスプリング６２のばね力との合力（ロック方向の力）よりも大きくなると、ロック穴５９の油圧によってロックピン５８がロック穴５９から押し出されて図６のロック解除位置に移動し、ロックピン５８のロックが解除される。
【００４１】
このロック解除状態では、図６に示すように、ロックピン５８の弁部６３がロック油路６６を塞いで、ロック解除保持用の油路６７を解除保持油圧室６５に連通させた状態となる。これにより、進角室４２から解除保持油圧室６５に油圧が供給され、この解除保持油圧室６５の油圧（進角室４２の油圧）とロック穴５９の油圧（遅角室４３の油圧）とによってロックピン５８がスプリング６２に抗してロック解除位置に保持される。そして、エンジン運転中は、進角室４２と遅角室４３のいずれかの油圧が高くなっているため、その油圧でロックピン５８がロック解除位置に保持され、ロータ３５が相対回転可能な状態（つまりバルブタイミング制御が可能な状態）に保持される。
【００４２】
エンジンＥＣＵ２１は、ソレノイド２９ａの作動を制御することによりＯＣＶ２９の作動を制御する進遅角位置制御手段としても機能し、クランク角センサ２０及びカム角センサ１９の出力信号に基づいて吸気バルブの実バルブタイミング（吸気側カム軸１６の実進角量）を演算すると共に、吸気圧センサ２２、水温センサ２３等のエンジン運転状態を検出する各種センサの出力に基づいて吸気バルブの目標バルブタイミング（吸気側カム軸１６の目標進角量）を演算する。そして、吸気バルブの実バルブタイミングを目標バルブタイミングに一致させるようにバルブタイミング調整装置１８のＯＣＶ２９をフィードバック制御する。
【００４３】
換言すれば、エンジンＥＣＵ２１は、進角室４２と遅角室４３の油圧を制御して、ハウジング３１に対するロータ３５の実相対回転位置（実進角量に相当）を目標相対回転位置（目標進角量に相当）まで相対回転させることで、吸気バルブの実バルブタイミングが目標バルブタイミングに一致するよう、カム軸位相を変化させる。
【００４４】
その後、エンジン１１を停止させる際に、エンジン回転速度が低下すると、油圧ポンプ２８の吐出圧が低下するため、進角室４２や遅角室４３の油圧が低下してくる。これにより、解除保持油圧室６５の油圧（進角室４２の油圧）とロック穴５９の油圧（遅角室４３の油圧）が低下して、スプリング６２のばね力がこれらの油圧に打ち勝つようになると、スプリング６２のばね力によってロックピン５８が突出してロック穴５９に嵌まり込むようになる。但し、ロックピン５８がロック穴５９に嵌まり込むには、両者の位置が一致していること、つまり、ロータ３５が中間位置に一致していることが条件となる。
【００４５】
この条件を満たすべく、イグニッションスイッチ２５のオフ操作（ＩＧオフ操作）を検出した場合に、エンジンＥＣＵ２１は、ロータ３５をロック位置（中間位置）に向けて相対回転させるようにＯＣＶ２９を制御する中間ロック制御を実行している。この中間ロック制御によりロータ３５をロック位置に到達させることができれば、ロックピン５８がロック穴５９に嵌まり込んだロック状態で、次回、ＩＧオン操作してエンジン１１を始動させることができる。
【００４６】
ここで、作動油が低温で高粘性になっていると、前記中間ロック制御を行ったとしても、油圧ポンプ２８が停止するまでの間にロータ３５がロック位置まで到達できない場合がある。また、先述したように、ＩＧオフ操作後においてエンジンへの燃料噴射を停止させるタイミングを遅延させる遅延制御（特許文献１参照）を行うと、ＩＧオフ操作してから直ぐにエンジンが停止しないことについて運転者に違和感を与えることが懸念される。これに対し本実施形態では、後に詳述するメータ制御及び吸入空気絞込み制御を実施することで、上記懸念を解消させている。
【００４７】
先ず、メータ制御により制御されるタコメータ６０（図１参照）、及び吸入空気絞込み制御により制御されるスロットルバルブ８１（図１参照）のハード構成について説明する。
【００４８】
車室内のインストルメントパネル（図示せず）のうち運転者の正面に位置する部分には、エンジン回転速度を表示するタコメータ６０が組み付けられている。このタコメータ６０は、目盛り板６１、指針６２及び電動モータ６３等をケーシング６４内に収容して構成されており、指針６２は、電動モータ６３により駆動されて目盛り板６１の表面側を回動する。これにより、目盛り板６１上の数値及び目盛りを指針６２が指し示すことで、タコメータ６０はエンジン回転速度の変化を表示する。
【００４９】
電動モータ６３の駆動はメータＥＣＵ６５により制御されている。メータＥＣＵ６５はエンジンＥＣＵ２１からエンジン回転速度の情報を取得し、取得したエンジン回転速度に基づき電動モータ６３の作動量、つまり指針６２の回転位置を制御する。なお、電動モータ６３の具体例としてステップモータが挙げられる。
【００５０】
スロットルバルブ８１は、吸気管８０に取り付けられて吸入空気量を調整するものであり、電動モータ８２により駆動制御される。そして、エンジンＥＣＵ２１（吸気量制御手段）は、吸気圧センサ２２にて検出される吸気圧やアクセル操作量等のエンジン負荷とエンジン回転速度とに基づき算出された吸気量となるよう、電動モータ８２を駆動制御してスロットルバルブ８１の開度（スロットル開度）を制御する。
【００５１】
次に、上述した中間ロック制御、吸入空気絞込み制御及びメータ制御を実行するためのＩＧオフ時制御について説明する。このＩＧオフ時制御は、エンジンＥＣＵが有するマイコンにより実行される制御であり、ＩＧオフ操作が為されたことをトリガとして、図７に示す処理を繰り返し実行する。なお、図８（ａ）、図９及び図１０は、図７に示す各処理のサブルーチンを示すフローチャートである。
【００５２】
先ず、図７のステップＳ１０において、ロックピン５８がロック穴５９に嵌まり込んでロック状態となっているか否かを判定する。この判定では、カム角センサ１９により検出されるカム角とクランク角センサ２０により検出されるクランク角とからロータ３５の相対回転位置（位相）を算出し、算出した位相が中間ロック位置になっていればロック状態であると判定する。
【００５３】
ロック状態でないと判定された場合には（Ｓ１０：ＮＯ）、続くステップＳ２０（ロック制御手段）において、ロータ３５をロック位置（中間位置）に向けて相対回転させるようにＯＣＶ２９を制御する、先述した中間ロック制御を実行する。その後、ステップＳ３０，Ｓ４０による吸入空気絞込み制御及びメータ制御の実行後、処理はステップＳ１０に戻る。
【００５４】
そして、中間ロック制御を実行した結果、ロータ３５が中間ロック位置に達してロック状態になったと判定された場合には（Ｓ１０：ＹＥＳ）、ステップＳ３０，Ｓ４０の処理を中断してステップＳ５０に進む。或いは、ＩＧオフ操作時点で既にロック状態であると判定された場合にはステップＳ３０，Ｓ４０の処理を行うことなく処理はステップＳ５０に進む。
【００５５】
ステップＳ５０（エンジン停止制御に相当）では、メインスイッチ７２をオフさせて、スロットルバルブ８１の電動モータ８２や図示しないインジェクタ等のエンジン部品に対し、バッテリ７３からの電力供給を停止させる。このようにエンジン部品への通電を遮断すると、燃料噴射及び点火が停止され、エンジン回転速度はアイドル運転時の回転速度（例えば６００ｒｐｍ）から徐々に低下していきゼロとなる。
【００５６】
以上により、ステップＳ１０の判定処理は、ステップＳ５０によるエンジン停止制御の開始をロック状態になるまで遅延させていると言える。つまり、ステップＳ１０の処理は「遅延制御」に相当する。
【００５７】
ここで、ＯＣＶ２９の制御では、実進角量を目標進角量に一致させるようにフィードバック制御することは先述した通りであるが、中間ロック制御時のフィードバック制御に用いるゲインは、ＩＧオン時におけるＯＣＶ２９の通常制御時に比べて高いゲイン、つまり応答性を重視した設定にしている（図８（ａ）のステップＳ２１参照）。中間ロック制御時には、目標進角量に一致させる必要がないため、高ゲイン化によるハンチングのおそれがないからである。具体的には、例えばＰＩＤ制御を用いたフィードバック制御においてＰ項ゲイン及びＤ項ゲインを、通常制御時には図８（ｂ）（ｃ）中の実線に示す値に設定し、中間ロック制御時には点線に示す値に可変設定する。
【００５８】
ステップＳ３０による吸入空気絞込み制御では、スロットル開度の目標値を、予め設定された所定の絞込み開度に設定する（図９のステップＳ３１参照）。前記絞込み開度はアイドル運転時のスロットル開度よりも小さく設定されており、本実施形態では前記絞込み開度を全閉の開度に設定している。このようにスロットル開度を絞り込めば、圧縮過程の途中でクランク軸１２が回転停止したとしても、その圧縮過程で圧縮される空気の量は少なくなっているので、圧縮空気によりピストンを押し戻す力は小さくなる。よって、クランク軸１２の回転速度が低下してゼロになった直後に生じうるクランク軸１２の逆回転が抑制される。つまり、ステップＳ３０の処理により、スロットルバルブ８１、電動モータ８２及びエンジンＥＣＵ２１（吸気量制御手段）からなる電動スロットルシステムは、「逆転抑制装置」として機能する。
【００５９】
ステップＳ４０によるメータ制御では、図７の処理を開始してからの経過時間、すなわち遅延制御を開始してからの経過時間に応じて、タコメータ６０により表示させるエンジン回転速度（以下「表示速度」と呼ぶ）の値を算出する（図１０のステップＳ４１参照）。そして、算出したエンジン回転速度の指示位置に指針６２が位置することとなるよう、電動モータ６３の駆動を制御する（図１０のステップＳ４２参照）。
【００６０】
ステップＳ４１における表示速度の算出では、前記経過時間に応じて予め設定された表示速度となるよう算出する。例えば、経過時間と表示速度との関係を特定するマップを予め記憶させておき、マップを用いて現在の経過時間に基づき現時点での表示速度を算出するようにすればよい。或いは、経過時間を変数として表示速度を算出する算出式を予め記憶させておき、その算出式に現在の経過時間を代入することで現時点での表示速度を算出するようにすればよい。
【００６１】
そして、このようなメータ制御による指針６２の挙動は、エンジン回転速度が実際に低下を開始するタイミングよりも早く低下開始するとともに、エンジン回転速度がゼロになる実際のタイミングよりも速くゼロになる挙動である。さらに、低下開始からゼロになるまでのプロフィールは実際のエンジン回転速度のプロフィールと同じになるよう設定されている。要するに、図１１（ｄ）中の一点鎖線に示す実際のエンジン回転速度の低下プロフィールに対し、低下開始時期及びゼロに達する時期を早くするよう平行移動させた図１１（ｄ）中の実線(1)に示すように、指針６２の回動は制御される。
【００６２】
図１１は、図７に示すＩＧオフ時制御を実行した場合の一態様を示すタイミングチャートであり、図１１中の（ａ）はイグニッションスイッチ２５のオン・オフ状態、（ｂ）はメインスイッチ７２のオン・オフ状態、（ｃ）は中間ロックが完了した場合に立てられるフラグの状態、（ｄ）中の実線は表示速度、一点鎖線は実際のエンジン回転速度について、各々の状態の時間変化を示す。
【００６３】
先ず、ｔ０時点にてＩＧオフ操作がなされると、その時点でロック状態になっていれば、ステップＳ１０による遅延制御が実行されず、ＩＧオフ操作から所定時間が経過した後のｔ１時点で図１１（ｂ）中の点線に示すようにメインスイッチ７２をオフにする。一方、ＩＧオフ操作時にロック状態になっていなければ、以降ロック状態になるまでメインスイッチ７２のオン状態を継続させる。
【００６４】
図１１に示す例では、ロック制御によりｔ３時点でロックが完了している。そして、ロック完了時点ｔ３でメインスイッチ７２をオフにすることに伴い燃料噴射が停止され、実際のエンジン回転速度はｔｒ１時点から低下し始めてｔｒ２時点でゼロとなる。このような実際のエンジン回転速度の挙動に対し、タコメータ６０による表示では、ｔｒ１時点よりも前の時点ｔ２で指針６２の指示位置を低下開始させる。
【００６５】
ここで、運転者がＩＧオフ操作してから直ぐに表示速度が低下を開始しないと、運転者に違和感を与えてしまうことは先述した通りであるが、図１１中の点線ｔｌｉｍは、違和感を与えないようにできる限界の時点を示しており、運転者を対象とした感応評価試験により得られたものである。そして、表示速度の低下開始時点ｔ２はこの限界時点ｔｌｉｍに設定されている。指針６２の指示位置を低下開始させた後、指針６２の挙動は、図１１（ｄ）中の一点鎖線に示す実際のエンジン回転速度の低下プロフィールを平行移動させた実線(1)に示す低下プロフィールとなるよう、指針６２を回動させる。したがって、表示速度がゼロになるｔ４時点は、実際のエンジン回転速度がゼロになるｔｒ２時点よりも早い。
【００６６】
以上詳述した本実施形態によれば、以下の効果が得られるようになる。
【００６７】
（１）ＩＧオフ操作に伴いエンジン回転速度が低下していく挙動をタコメータ６０の指針６２で指示表示させるにあたり、遅延制御を実行する場合には、実際のエンジン回転速度が低下し始めるｔｒ１時点よりも前の時点ｔ２で指針６２の指示位置を低下開始させる。そのため、遅延制御の実行によりエンジン回転速度が低下開始するタイミングは実際には遅延されているものの、指針６２の低下開始を視認した運転者には、実際の低下開始タイミングよりも早く低下開始したと把握されることとなる。したがって、遅延制御の実行によりロックの確実性を高めることができるとともに、ＩＧオフ操作してから直ぐにエンジン回転速度が低下し始めないことについて与える運転者への違和感を抑制できる。
【００６８】
（２）指針６２がゼロに向かって回動する時の指示位置低下推移プロフィールは、実際のエンジン回転速度が低下する時のプロフィールと同じに設定されているため、タコメータ６０を見る運転者に対して、実際の回転速度の低下推移と異なる低下推移（例えば指針指示位置の急激な低下や緩慢な低下）で表示させることにより与えてしまう違和感を抑制できる。
【００６９】
（３）ここで、本実施形態によれば、表示回転速度がゼロになった後に実際の回転が停止するので、エンジン停止時にクランク軸１２が逆回転すると、その逆回転によるエンジン振動は運転者に対して大きな違和感を与えてしまう。これに対し本実施形態では、ＩＧオフ操作後において、ステップＳ３０による吸入空気絞込み制御を実施するので、エンジン停止時に懸念されるクランク軸１２の逆回転を抑制できるので、上記違和感を回避できる。
【００７０】
（他の実施形態）
上記実施形態は、以下のように変更して実施してもよい。また、本発明は上記実施形態の記載内容に限定されず、以下の各実施形態の特徴的構成をそれぞれ任意に組み合わせるようにしてもよい。
【００７１】
・上記実施形態では、ステップＳ３０による吸入空気絞込み制御を実施することで、エンジン停止時におけるクランク軸１２の逆回転抑制を図っているが、クランク軸１２の正回転を許容して逆回転を不能にするワンウェイクラッチ機構（図示せず）を備えるエンジンに適用することで逆回転抑制を図るようにしてもよい。
【００７２】
ワンウェイクラッチ機構の具体例としては、特開２００７−２３１８０６号公報に記載の機構が挙げられる。すなわち、スタータモータの出力軸と一体的に回転するピニオンと、クランク軸１２と一体的に回転するリングギヤとが常時噛み合った常噛みスタータに適用され、スタータモータの出力軸にワンウェイクラッチを組み付け、当該ワンウェイクラッチにより、スタータモータ出力軸の正回転を許容して逆回転を不能にする機構である。
【００７３】
・上記実施形態では、逆転抑制装置を備えたエンジンに本発明に係るバルブタイミング制御システムを適用させているが、本発明は、逆転抑制装置を備えていないエンジンに適用させてもよい。
【００７４】
・上記実施形態では、図１１（ｄ）中の実線(1)に示すように、実際のエンジン回転速度の低下プロフィールに対し、表示回転速度の低下開始時期及びゼロ到達時期を早くするよう平行移動させているが、実線(2)に示すように、表示回転速度のゼロ到達時期を実際のゼロ到達時期ｔｒ２と同じにしてもよいし、実線(3)に示すように実際のゼロ到達時期ｔｒ２よりも遅くしてもよい。実線(3)の場合、クランク軸１２が逆回転した場合のことを想定して、ゼロ到達時期ｔｒ２後の逆回転が終わった時点で表示回転速度をゼロ到達させるようにして好適である。
【００７５】
・上記実施形態では、ロック位置を最遅角位置及び最進角位置の中間位置としているが、最遅角位置又は最進角位置としてもよい。但し、エンジンの始動性を良好にするためには中間位置にすることが好ましい。
【００７６】
ちなみに、クランク軸１２が回転していれば、カム軸１６から受けるトルクによりロータ３５は遅角側に作動する。したがって、ロック位置が最遅角位置に設定されていれば、仮に非ロック状態でエンジンを始動させたとしても、前記トルクによりロータ３５はロック位置（最遅角位置）まで相対回転するのでロック状態となる。これに対しロック位置を中間位置に設定した上記実施形態の場合には、ロック位置よりも遅角側にずれた非ロック状態にてエンジンを始動させると、前記トルクによってはロータ３５をロック位置に到達できない。よって、中間ロックの場合には確実なロックがより一層要求され、遅延制御時間も長く要する。よって、本発明による「運転者に違和感を与えることの抑制と確実なロックとの両立」の効果が好適に発揮される。
【００７７】
・上記実施形態によるタコメータ６０は、指針６２の回動によりエンジン回転速度を表示するものであるが、液晶表示装置その他の表示装置に指針を表示させるものや、その表示装置にて回転速度をバー表示させたり数値で表示させたりするものでもよい。
【００７８】
・上記実施形態では、吸気側カム軸１６に設けられたバルブタイミング調整装置１８に本発明を適用させているが、排気側カム軸１７に設けられたバルブタイミング調整装置に本発明を適用させてもよい。
【００７９】
・上記実施形態では点火式のガソリンエンジンに本発明を適用させているが、自着火式のディーゼルエンジンに適用させてもよい。
【図面の簡単な説明】
【００８０】
【図１】本発明の一実施形態に係るバルブタイミング制御システム全体を示す概略構成図。
【図２】図１のバルブタイミング調整装置を示す縦断面図。
【図３】図２のＩ−Ｉ断面図。
【図４】図２のII−II断面図。
【図５】図２のロック機構によるロック状態を示す断面図。
【図６】図２のロック機構によるロック解除状態を示す断面図。
【図７】図１のエンジンＥＣＵによるＩＧオフ時制御の処理手順を示すフローチャート。
【図８】図７の中間ロック制御サブルーチンを示すフローチャート。
【図９】図７の吸入空気絞込み制御サブルーチンを示すフローチャート。
【図１０】図７のメータ制御サブルーチンを示すフローチャート。
【図１１】図７のＩＧオフ時制御を実行した場合の一態様を示すタイミングチャート。
【符号の説明】
【００８１】
１１…ガソリンエンジン、１２…クランク軸（出力軸）、１６…吸気側カム軸（従動軸）、１８…バルブタイミング調整装置、２１…エンジンＥＣＵ（遅延制御手段、ロック制御手段）、２８…油圧ポンプ、２９…ＯＣＶ（進遅角位置制御装置）、３１…ハウジング（エンジン側回転体）、３５…ロータ（カム側回転体）、５８…ロックピン（ロック機構）、５９…ロック穴（ロック機構）、６５…メータＥＣＵ（表示内容制御手段）、Ｓ１０…遅延制御手段、Ｓ２０…ロック制御手段、Ｓ４０…表示内容制御手段。
【図１】
2009270478.tif 000003
【図２】
2009270478.tif 000004
【図３】
2009270478.tif 000005
【図４】
2009270478.tif 000006
【図５】
2009270478.tif 000007
【図６】
2009270478.tif 000008
【図７】
2009270478.tif 000009
【図８】
2009270478.tif 000010
【図９】
2009270478.tif 000011
【図１０】
2009270478.tif 000012
【図１１】
2009270478.tif 000013